(57)【要約】  スライド式携帯端末が開示される。端末は、本体及び該本体上で摺動可能な補助体を備える。本体及び補助体のうち一方には、摺動方向に沿って形成される第１の摺動溝が設けられる。第１の摺動溝は、直線部と、該直線部から連続的に形成される湾曲部を有する。本体及び補助体の他方には、摺動溝と摺動可能に係合する第１の摺動突起が設けられ、補助体が本体に対して摺動して開かれる際に補助体が下降し、又はその逆も同様である。
2009519671.tif 000002
【特許請求の範囲】
【請求項１】
本体と、前記本体上を摺動可能な補助体とを備えるスライド式携帯端末であって、
前記本体及び補助体の一方が、摺動方向に沿って形成される、直線部及び該直線部から連続的に形成される湾曲部を有する第１の摺動溝を備え、前記本体及び補助体の他方が、前記摺動溝と摺動可能に係合する第１の摺動突起を備え、前記補助体が摺動して前記本体に対して開かれる間に該補助体が下降し、又は逆も同様である、携帯端末。
【請求項２】
第１の摺動板及び第２の摺動板が前記補助体に固定され、第１のレバー及び第２のレバーが回動可能に本体に取り付けられ、第１のレバーは、補助体が直線部に位置する間は第１の摺動板が摺動することを可能にし、補助体が湾曲部に位置する間は第１の摺動板が下降することにより回動し、第２のレバーは、補助体が直線部に位置する間は第２の摺動体が摺動することを可能にし、補助体が湾曲部に位置する間は第２の摺動板が下降することによって回動する、請求項１に記載の携帯端末。
【請求項３】
第１の摺動板及び第１のレバーの一方と、第２の摺動板及び第２のレバーの一方とに第２の摺動溝が形成され、第１の摺動板及び第１のレバーの他方と、第２の摺動板及び第２のレバーの他方とに摺動突起が形成され、該摺動突起は前記第２の摺動溝と係合する、請求項２に記載の携帯端末。
【請求項４】
弾性突出手段が第１及び第２のレバーの少なくとも一方に取付けられ、第１の摺動板もしくは第２の摺動板又はその両方が、前記弾性突出手段と係合する溝を有するように形成される、請求項２に記載の携帯端末。
【請求項５】
前記弾性突出手段が、水平方向に移動し、かつ第１の傾斜面を有する摺動カムと、前記第１の傾斜面と接触する第２の傾斜面を有し、かつ前記溝との係合及び係合解除を行うように垂直方向に移動する上昇カムと、前記摺動カムを前記上昇カムに向かって付勢する圧縮ばねとを備える、請求項４に記載の携帯端末。
【請求項６】
前記本体にクラッチ部材が取り付けられ、該クラッチ部材は、初期状態においては第１もしくは第２のレバー又はその両方の回動に対して抵抗する力を発生させ、後期状態においては、該回動を付勢する力を発生させる、請求項２に記載の携帯端末。
【発明の詳細な説明】
【技術分野】
【０００１】
本発明はスライド式携帯端末に関する。より詳細には、本発明は、開いたときの端末の全体の厚さを最小限にすることにより、ユーザが手に持ったときの快適性及び端末の構造安定性を改善するスライド式携帯端末に関する。
【背景技術】
【０００２】
携帯端末は、ストレート式、フリップ式、折りたたみ式等に分類することができる。
携帯電話の設計の多様性に伴い、ディスプレイが装備された補助体がキーパッドを有する本体上で摺動可能に作動する、スライド式携帯端末が近年開発されている。
【０００３】
図１は、従来のスライド式携帯端末の例を示す。
スライド式端末１では、補助体２は、本体３に対して矢印方向に摺動可能に開閉するように構成される。
【０００４】
このスライド式端末１は、折りたたみ式端末の利点を有する。すなわち、閉じられているときに補助体２が本体３のキーパッドを保護することにより、操作不良や誤操作が避けられる。受信機は補助体に取付けられ、送信機は、受信機と送信機の間に十分な距離が確保されるように本体に取付けられる。
【０００５】
さらに、補助体２上に取付けられるディスプレイは常に前方に指向する。したがって、単一のディスプレイを使用することによって生産コストを削減することができ、ユーザは、補助体２が閉じられているときであってもディスプレイを見ることができる。
【０００６】
しかしながら、このスライド式端末１の場合、補助体２及び本体３は、開閉時に互いに対して直線的に相対移動するように設計されている。したがって、従来のスライド式端末１は、動作中には常時、本体３及び補助体２を合わせた厚さを維持することになる。
【０００７】
したがって、従来のスライド式端末１では、他のタイプの携帯端末と比較すると、開いたときに厚みがあった。このため、ユーザが手に持ったときの快適性を低下させていた。
【発明の開示】
【発明が解決しようとする課題】
【０００８】
本発明は、従来技術における問題の少なくとも一部を解決するためになされた。本発明の目的は、開いたときに端末の全体の厚さを最小にすることができ、これによりユーザが手に持ったときの快適性及び端末の構造安定性を改善するスライド式携帯端末を提供することにある。
【課題を解決するための手段】
【０００９】
上記目的を達成するために、本発明の一態様によれば、本体と、該本体上で摺動可能な補助体とを備える摺動下降式携帯端末が提供される。本体及び補助体のうち一方には、摺動方向に沿って形成された第１の摺動溝が設けられる。第１の摺動溝は、直線部と、該直線部から連続的に形成された湾曲部とを有する。本体及び補助体の他方には、補助体が本体に対して摺動して開く間に補助体が下降し、又はその逆も同様であるように、摺動溝と摺動可能に係合する第１の摺動突起が設けられる。
【００１０】
一実施形態では、第１の摺動板及び第２の摺動板は補助体に固定され、第１のレバー及び第２のレバーは回動可能に本体に取付けられる。第１のレバーは、補助体が直線部に位置するときに第１の摺動板が摺動することを可能にし、補助体が湾曲部に位置するときには第１の摺動板が下降することによって回動する。第２のレバーは、補助体が直線部に位置するときには第２の摺動板が摺動することを可能にし、補助体が湾曲部に位置するときには第２の摺動板が下降することによって回動する。
【００１１】
一実施形態では、第１の摺動板及び第１のレバーのうち一方と、第２の摺動板及び第２のレバーのうち一方とに第２の摺動溝が形成される。第１の摺動板及び第１のレバーの他方と、第２の摺動板及び第２のレバーの他方とには、摺動突起が形成される。摺動突起は第２の摺動溝と係合する。
【００１２】
一実施形態では、弾性突出手段が、第１及び第２のレバーの少なくとも一方に取付けられ、第１の摺動板もしくは第２の摺動板又はその両方が、弾性突出手段と係合する溝を有するように形成される。
【００１３】
一実施形態では、弾性突出手段は、水平方向に動き、かつ第１の傾斜面を有する摺動カムと、第１の傾斜面と接触する第２の傾斜面を有し、かつ溝との係合及び係合解除を行うように垂直方向に移動する上昇カムと、上昇カムに向かって摺動カムを付勢するための圧縮ばねとを有する。
【００１４】
一実施形態では、クラッチ部材は本体に取付けられている。クラッチ部材は、初期状態においては第１もしくは第２のレバー又はその両方の回動に対抗する弾性力を発生させ、後期状態においては該回動を付勢する力を発生させる。
【００１５】
前述の発明によって、補助体が本体から開かれると、端末の全体の厚さを最小限に減少させることにより、ユーザが手に持ったときの快適性及び端末の構造安定性を改善することができる。
【００１６】
添付の図面を考慮して以下の説明を参照することにより、本発明の目的及び効果をより完全に理解することができる。
【発明を実施するための最良の形態】
【００１７】
以下、本発明の実施形態を添付の図面を参照して説明する。
図２は、本発明の一実施形態による携帯端末を示す斜視図である。図３は、図２の携帯端末の分解斜視図である。図４乃至７は、図３の携帯端末の主要部品を示す分解斜視図である。
【００１８】
図２乃至７を参照すると、この実施形態の携帯端末は、本体１０と、該本体１０と摺動可能に係合する補助体２０とを備える。本体１０は、その上面にキーパッド部１１と、キーパッド部１１から一段下がった位置にある低部１２とを有する。補助体２０は、開けられているときには、水平に移動した後に低部１２に落ちるように構成される。
【００１９】
したがって、補助体２０が本体１０上で閉じられると、端末は比較的厚い状態を維持する。しかしながら、補助体２０が開かれると、補助体２０が低部１２に落ち込むため、開けられた端末の全体の厚さが減少する。
【００２０】
本体１０には、補助体２０の摺動方向に沿って形成される直線摺動溝部及び直線摺動溝部に続いて連続的に形成される湾曲摺動溝部で構成される第１の摺動溝１４が形成される。補助体２０には、第１の摺動溝１４と摺動可能に係合するように形成される第１の摺動突起２２が形成される。
【００２１】
第１の摺動板３０及び第２の摺動板８０は、補助体２０に固定される。第１のレバー４０は回動可能に本体１０に取り付けられる。第１のレバー４０は、補助体２０が本体１０のキーパッド部１１から離れる際に第１の摺動板３０が摺動することを可能にし、その後、第１の摺動板３０の下降動作によって回動する。第１のレバー４０に加えて、第２のレバー９０も回動可能に本体１０に取り付けられる。第２のレバー９０は、補助体２０がキーパッド部１１から離れる際に第２の摺動板８０が摺動することを可能にし、第２の摺動板８０の下降動作によって回動する。
【００２２】
第１の摺動板３０は、水平方向に形成される第２の摺動溝３２を備え、第１のレバー４０は、第２の摺動溝３２と摺動可能に連結されるように形成された第２の摺動突起４２を備える。さらに、第２の摺動板８０は、水平方向に形成される第３の摺動溝８２を備え、第２のレバー９０は、第３の摺動溝８２に摺動可能に連結されるように形成される第３の摺動突起９２を備える。
【００２３】
第１のレバー４０には、弾性突出手段を収容するための空間部４６が形成され、レール３４が第１の摺動板３０に取り付けられる。レール３４は、弾性突出手段と組み合わせられる溝３６を備える。第１の摺動板３０が摺動する間、レール３４は弾性突出手段と接触した状態を保つ。好ましくは、レールは耐磨耗材料で形成される。
【００２４】
弾性突出手段は、第１の傾斜面５６を有し、かつ水平方向に移動する摺動カム５４と、第１の傾斜面５６と接触する第２の傾斜面５２を有し、かつ溝３６との係合及び係合解除を行うように垂直方向に移動する上昇カム５０と、摺動カム５４を上昇カム５０に向かって付勢する圧縮ばね６０とを備える。
【００２５】
カバー６２は、上昇カム５０の脱出を防ぐために、第１のレバー４０の空間部４６と組み合わせられる。カバー６２には、上昇カム５０が突出する貫通孔６４が形成される。本体１０にはクラッチ部材７０が取付けられる。クラッチ部材７０は、初期状態においては第１のレバー４０の回動に抵抗する力を発生させ、後期状態においては第１のレバー４０を回動させる力を発生させるように構成される。
【００２６】
クラッチ部材７０には、韓国特許第１０−０３９１３７９号明細書に開示されるカバーヒンジ装置を用いてもよい。角シャフト７２は、クラッチ部材７０のハウジングから外方に突出する。クラッチ部材７０の詳細については説明を省略する。
【００２７】
クラッチ部材７０のハウジングは本体１０に固定され、突出する角シャフト７２は、第１のレバー４０の角穴４４と連結される。
以下、上述した構成を有する携帯端末の操作について説明する。
【００２８】
図８及び９は、図２の携帯端末の操作を示す斜視図である。図１０は、補助体が閉じられた状態にある図２の携帯端末を示す横断面図である。図１１は、補助体が閉じられた状態にある図２の携帯端末を示す縦断面図である。
【００２９】
図面に示されるように、補助体２０が本体１０上で閉じられた状態では、補助体２０は本体１０のキーパッドまでを閉鎖する。クラッチ部材７０は第１のレバーの回動を抑制し、第１のレバー４０に取付けられた上昇カム５０は、第１の摺動板３０に固定されたレール３４の溝３６と係合する。したがって、第１の摺動板３０を、所定の位置、すなわち閉鎖状態に保持することができる。
【００３０】
圧縮ばね６０は、摺動カム５４の第１の傾斜面５６が上昇カム５０の第２の傾斜面５２を押し上げるように摺動カム５４を付勢する。このため、上昇カム５０はレール３４の溝３６と係合し、補助体を保持する。
【００３１】
この状態において、補助体２０が押し下げられると、第１及び第２の摺動板３０、８０は補助体２０と共に摺動する。次いで上昇カム５０がレール３４の溝３６から解放され、レール３４に沿って動く。
【００３２】
図１２は、補助体が開かれた状態にある図１０の携帯端末を示す横断面図である。図１３は、補助体が開かれた状態にある図１２の携帯端末を示す縦断面図である。
摺動開放動作の初期状態においては、補助体２０に形成される第１の摺動突起２２は、本体１０に形成される第１の摺動溝１４の直線部に沿って移動する。第１の摺動板３０が移動すると、第１のレバー４０の第２の摺動突起４２は、第２の摺動溝３２の端まで移動する。さらに、第２の摺動板８０が移動すると、第２のレバー９０の第３の摺動突起９２が第３の摺動溝８２の端まで移動する。
【００３３】
その後、補助体２０に形成される第１の摺動突起２２が、第１の摺動溝１４の湾曲部に沿って下に移動する。第１及び第２のレバー４０、９０は、それぞれ第１の摺動板３０及び第２の摺動板８０によってそれぞれ回動される。したがって、補助体２０は、本体１０の低部に落ちる。
【００３４】
図１４は、補助体が完全に開いた状態にある図１２の携帯端末を示す横断面図である。図１５は、補助体が完全に開いた状態にある図１３の携帯端末を示す縦断面図である。
初期状態では、クラッチ部材７０は第１のレバー４０の回動に対して抵抗する力を発生させるが、ある程度回動した後には、第１のレバー４０の回転を付勢するように力の方向が逆転する。クラッチ部材の詳しい動作については、韓国特許第１０−０３９１３７９号明細書に開示される。
【００３５】
補助体２０が本体１０の低部１２上にあるときには、補助体２０及び本体１０を合わせた厚さが最大限に減少することにより、ユーザの利便性及び手に持ったときの快適性を提供する。さらに、携帯端末の形状は矩形をなすように形成されるため、構造安定性を得られる。
【００３６】
本体１０上における補助体２０の閉鎖動作は、上記開放動作とは逆の順序で行われる。
上述したように、本発明は、補助体が本体から開かれたときに、これらを合わせた端末の厚さを最大限に減少させることができるスライド式携帯端末に適用される。
【００３７】
本発明について、複数の例示的な実施形態に基づき説明してきたが、この説明は本発明を例示するものであり、本発明を限定するものとして解釈されるべきではない。当業者であれば、添付の特許請求の範囲に定義されるように、本発明の精神及び範囲から逸脱することなく、様々な改変及び変更が存在することが理解されよう。
【図面の簡単な説明】
【００３８】
【図１】従来のスライド式携帯端末を示す斜視図。
【図２】本発明の一実施形態による携帯端末を示す斜視図。
【図３】図２の携帯端末の分解斜視図。
【図４】図３の携帯端末の主要部品を示す分解斜視図。
【図５】図３の携帯端末の主要部品を示す分解斜視図。
【図６】図３の携帯端末の主要部品を示す分解斜視図。
【図７】図３の携帯端末の主要部品を示す分解斜視図。
【図８】図２の携帯端末の動作を示す斜視図。
【図９】図２の携帯端末の動作を示す斜視図。
【図１０】補助体が閉じた状態にある図２の携帯端末を示す横断面図。
【図１１】補助体が閉じた状態にある図２の携帯端末を示す縦断面図。
【図１２】補助体が開いた状態にある図１０の携帯端末を示す横断面図。
【図１３】補助体が開いた状態にある図１２の携帯端末を示す縦断面図。
【図１４】補助体が完全に開いた状態にある図１２の携帯端末を示す横断面図。
【図１５】補助体が完全に開いた状態にある図１３の携帯端末示す縦断面図。
【図１】
2009519671.tif 000003
【図２】
2009519671.tif 000004
【図３】
2009519671.tif 000005
【図４】
2009519671.tif 000006
【図５】
2009519671.tif 000007
【図６】
2009519671.tif 000008
【図７】
2009519671.tif 000009
【図８】
2009519671.tif 000010
【図９】
2009519671.tif 000011
【図１０】
2009519671.tif 000012
【図１１】
2009519671.tif 000013
【図１２】
2009519671.tif 000014
【図１３】
2009519671.tif 000015
【図１４】
2009519671.tif 000016
【図１５】
2009519671.tif 000017
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
第１の本体と、
第１の閉鎖位置と少なくとも第２の開放位置との間で、前記第１の本体に対して摺動可能な第２の本体と、
直線部及び湾曲部を有する第１の摺動溝と、
前記第１の摺動溝と摺動可能に係合する第１の摺動突起と
を備え、前記第１の摺動溝の湾曲部は、
前記第２の本体が第２の開放位置に向かって摺動させられて前記第１の摺動突起が前記第１の摺動溝の湾曲部に沿って摺動するときに、前記第２の本体は、前記第１の本体に対して下方に移動し、
前記第２の本体が第１の閉鎖位置に向かって摺動させられて前記第１の摺動突起が前記第１の摺動溝の湾曲部に沿って摺動するときに、前記第２の本体は、前記第１の本体に対して上方に移動する、携帯端末。
【請求項２】
前記第２の本体が第１の閉鎖位置にあるときに該第２の本体の少なくとも一部によって被覆されてそのほぼ下方に配置されるように、前記第１の本体に連結されるキーパッド部と、
前記第２の本体が第２の開放位置にあるときに前記キーパッド部とほぼ同一の平面上にあるように、前記第２の本体に連結されるディスプレイと
をさらに備える請求項１に記載の携帯端末。
【請求項３】
前記第２の本体は、第１の閉鎖位置にあるときに、前記キーパッド部を内部に受容する、請求項２に記載の携帯端末。
【請求項４】
前記第２の本体に対して連結される第１及び第２の摺動板と、
前記第１の本体に対して回動可能に連結される第１及び第２のレバーと
前記第１のレバーは、前記第１の摺動突起が前記第１の摺動溝の直線部に沿って摺動しているときに前記第１の摺動板が摺動することを可能にし、かつ、前記第１の摺動突起が前記第１の摺動溝の湾曲部に沿って移動しているときに前記第１の摺動板の下降動作によって回動することと、
前記第２のレバーは、前記第１の摺動突起が前記第１の摺動溝の直線部に沿って摺動しているときに前記第２の摺動板が摺動することを可能にし、かつ、前記第１の摺動突起が前記第１の摺動溝の湾曲部に沿って移動しているときに前記第２の摺動板の下降動作によって回動することと
を備える、請求項１乃至３のいずれか一項に記載の携帯端末。
【請求項５】
前記第１の摺動板及び前記第１のレバーの少なくとも一方が、該第１の摺動板及び第１のレバーの他方の摺動溝と係合する摺動突起を備え、
前記第２の摺動板及び前記第２のレバーの少なくとも一方が、該第２の摺動板及び第２のレバーの他方の摺動溝と係合する摺動突起を備える、請求項４に記載の携帯端末。
【請求項６】
前記第１及び第２のレバーの少なくとも一方が弾性突出手段を備え、
前記第１及び第２の摺動板の少なくとも一方が、前記弾性突出手段と係合する溝を備える、請求項４又は５に記載の携帯端末。
【請求項７】
前記弾性突出手段は、
水平方向に移動可能であり、かつ第１の傾斜面を有する摺動カムと、
前記第１の傾斜面と接触する第２の傾斜面を有し、かつ前記溝との係合及び係合解除を行うように垂直方向に移動可能な上昇カムと、
前記上昇カムに向かって前記摺動カムを付勢する圧縮ばねと
を備える、請求項６に記載の携帯端末。
【請求項８】
前記第１の本体が、初期状態において前記第１及び第２のレバーの少なくとも一方の回動に対抗する弾性力を生じさせ、かつ後期状態において前記第１及び第２のレバーの少なくとも一方の該回動を付勢する力を生じさせるクラッチ部材を備える、請求項４乃至７のいずれか一項に記載の携帯端末。
【請求項９】
前記第１の本体が前記第１の摺動溝を備え、前記第２の本体が前記第１の摺動突起を備える、請求項１乃至８のいずれか一項に記載の携帯端末。
【請求項１０】
前記第１の摺動溝の湾曲部が、該第１の摺動溝の直線部から連続的に形成される、請求項１乃至９のいずれか一項に記載の携帯端末。
【請求項１１】
前記第１の摺動溝の湾曲部が、前記第１の摺動溝の直線部に対してほぼ凹形をなす湾曲を有する、請求項１乃至１０のいずれか一項に記載の携帯端末。
【請求項１２】
前記第１の摺動溝の直線部が、第１の閉鎖位置と第２の開放位置との間における第１の本体に対する第２の本体の水平摺動方向とほぼ平行である、請求項１乃至１１のいずれか一項に記載の携帯端末。
【請求項１３】
前記第１の本体の上面は、前記第２の本体が第１の閉鎖位置にあるときには該第２の本体のほぼ下方に位置し、前記第２の本体が第２の開放位置にあるときには該第２の本体の上面とほぼ位置が揃う、請求項１乃至１２のいずれか一項に記載の携帯端末。
【請求項１４】
前記第１の本体が、第１のキーパッド部と、該第１のキーパッド部から一段下がった位置にある第２の低部とを備え、
前記第２の本体は、前記第１の摺動突起が前記第１の摺動溝の湾曲部に沿って摺動するにつれて前記第２の本体が第２の開放位置に向かって第１の本体に対して摺動して開くときに、下方に移動して前記第１の本体の低部に落ちるように構成される、請求項１乃至１３のいずれか一項に記載の携帯端末。
【請求項１５】
第１の本体と、第１の閉鎖位置と少なくとも第２の開放位置との間で前記第１の本体に対して摺動可能な第２の本体とを有する携帯端末用の摺動機構であって、該摺動機構は、
直線部、及び該直線部に対してほぼ凹形をなす湾曲を有する湾曲部を有する第１の摺動溝と、
前記第１の摺動溝と摺動可能に係合可能な第１の摺動突起と、
前記第１の摺動突起が前記第１の摺動溝の湾曲部に対して摺動可能に係合することにより、前記第１の摺動突起が前記第１の摺動溝の湾曲部に沿って摺動するにつれて前記第２の本体が第１の閉鎖位置に向かって前記第１の本体に対して摺動可能に移動するときに、前記第２の本体を上方に移動させるように、かつ、前記第１の摺動突起が前記第１の摺動溝の湾曲部に沿って摺動するにつれて前記第２の本体が第２の開放位置に向かって前記第１の本体に対して摺動可能に移動するときに、前記第１の本体を下方に移動させるように作動可能であることと
を備える摺動機構。
【請求項１６】
前記第１の摺動溝が携帯端末の第１の本体によって形成され、前記第２の摺動突起が携帯端末の第２の本体によって形成される、請求項１５に記載の摺動機構。
【請求項１７】
前記第２の本体に対して連結されるように構成される第１及び第２の摺動板と、
前記第１の本体に対して回動可能に連結されるように構成される第１及び第２のレバーと、
前記第１のレバーは、前記第１の摺動突起が前記第１の摺動溝の直線部に沿って摺動しているときに前記第１の摺動板が摺動することを可能にし、かつ、前記第１の摺動突起が前記第１の摺動溝の湾曲部に沿って摺動しているときに前記第１の摺動板の下降動作によって回動することと、
前記第２のレバーは、前記第１の摺動突起が前記第１の摺動溝の直線部に沿って摺動しているときに前記第２の摺動板が摺動することを可能にし、かつ、前記第１の摺動突起が前記第１の摺動溝の湾曲部に沿って摺動しているときに前記第２の摺動板の下降動作によって回動することと
を備える、請求項１５又は１６に記載の摺動機構。
【請求項１８】
前記第１の摺動板及び前記第１のレバーの少なくとも一方が、該第１の摺動板及び第１のレバーの他方の摺動溝と係合可能な摺動突起を備え、前記第２の摺動板及び前記第２のレバーの少なくとも一方が、該第２の摺動板及び第２のレバーの他方の摺動溝と係合可能な摺動突起を備える、請求項１７に記載の摺動機構。
【請求項１９】
前記第１及び第２のレバーの少なくとも一方が弾性突出手段を備え、前記第１及び第２の摺動板の少なくとも一方が、前記弾性突出手段と係合する溝を備える、請求項１７又は１８に記載の摺動機構。
【請求項２０】
前記弾性突出手段は、
水平方向に移動可能であり、かつ第１の傾斜面を有する摺動カムと、
前記第１の傾斜面と接触する第２の傾斜面を有し、かつ前記溝との係合及び係合解除を行うように垂直方向に移動可能な上昇カムと、
前記上昇カムに向かって前記摺動カムを付勢する圧縮ばねと
を備える、請求項１９に記載の摺動機構。
【請求項２１】
初期状態において前記第１及び第２のレバーの少なくとも一方の回動に対抗する弾性力を生じさせ、かつ後期状態において前記第１及び第２のレバーの少なくとも一方の該回動を付勢する力を生じさせるクラッチ部材をさらに備える、請求項１７乃至２０のいずれか一項に記載の摺動機構。
【請求項２２】
前記第１の摺動溝の湾曲部が、該第１の摺動溝の直線部から連続的に形成される、請求項１５乃至２１のいずれか一項に記載の摺動機構。
【請求項２３】
前記第１の摺動溝の湾曲部がＣ字状をなす、請求項１５乃至２２のいずれか一項に記載の摺動機構。
【請求項２４】
請求項１６乃至２４に記載の摺動機構を備える携帯電話。
【手続補正２】
【補正対象書類名】明細書
【補正対象項目名】００１５
【補正方法】変更
【補正の内容】
【００１５】
前述の発明によって、補助体が本体から開かれると、端末の全体の厚さを減少させることにより、ユーザが手に持ったときの快適性及び端末の構造安定性を改善することができる。
【国際調査報告】
2009519671.tif 000018
2009519671.tif 000019